(57)【要約】【課題】特定のカテゴリに着目してウェブログの更新情報の一覧を表示する場合は、ウェブログ運営会社毎に用意されているポータルサイトから閲覧するのが現状で、複数のウェブログ運営会社を横断的に閲覧する方法の提供がなされていないのが現状である。【解決手段】従来の課題を解決するために、異なるブログ運営会社に、それぞれ用意されているウェブログを横断的に集約し、ポータルサイトとして再配置するシステムを用意して、提供することを手段とする。【選択図】図１
2008077223.tif 000002
【特許請求の範囲】
【請求項１】
異なるブログ運営会社にそれぞれ用意されているウェブログを横断的に集約し、ポータルサイトとして再配置するシステム。
【請求項２】
前記に記載のシステムは、予め特定のカテゴリに分類されたポータルサイトを用意し、そのカテゴリに適合するウェブログで公開されているウェブログコンテンツの更新日時、タイトル、要約が記述された更新情報およびウェブログのＵＲＬを横断的に収集する。
【請求項３】
前記に記載の情報を編集し、その編集結果を一覧として配置してHTML文章として配信し、編集結果の一覧を選択するとウェブログコンテンツを表示する。
【請求項４】
前記に記載のポータルサイトは、特定のカテゴリが新たに追加される毎に追加される。
【請求項５】
特定のカテゴリに分類された複数のポータルサイトを集約した、請求項１から請求項４に記載のシステム。
【発明の詳細な説明】
【技術分野】
【０００１】
本発明は、インターネットおよびイントラネット上に存在するウェブログ（Ｗｅｂ  Ｌｏｇ）から横断的に情報を収集し、収集した情報を集約して提供する情報提供方法および装置である。
【背景技術】
【０００２】
ウェブログの更新情報の一覧は、ウェブログ運営会社毎に個別に提供されている。特定のカテゴリに着目してウェブログの更新情報の一覧を表示する場合は、ウェブログ運営会社毎に用意されているポータルサイトから閲覧するのが現状である。
【０００３】
【特許文献１】特開２００６−２２７９２５
【発明の開示】
【発明が解決しようとする課題】
【０００４】
特許文献１で開示されている情報提供方法、および、情報提供装置が対象としている情報は、ネットワーク上に存在するＷｅｂサイトのニュース記事を範疇としている。
【０００５】
特許文献１で開示されている情報提供装置は、ニュース記事内のキーワードに基づいた検索方法および、検索結果の情報提供方法を範疇としている。
【０００６】
特定のカテゴリに着目してウェブログの更新情報の一覧を表示する場合は、ウェブログ運営会社毎に用意されているポータルサイトから閲覧するのが現状で、複数のウェブログ運営会社を横断的に閲覧する方法の提供がない。
【課題を解決するための手段】
【０００７】
従来の課題を解決するために異なるブログ運営会社にそれぞれ用意されているウェブログを横断的に集約し、ポータルサイトとして再配置するシステムを用意する。
【０００８】
予め特定のカテゴリに分類されたポータルサイトを用意し、そのカテゴリに適合するウェブログを登録する。
【０００９】
登録されたウェブログから公開されている更新情報およびウェブログのＵＲＬを収集し、ポータルサイトに一覧として配置することで複数のウェブログ運営会社を横断的に閲覧することができる。
【発明の効果】
【００１０】
本発明によれば、複数の異なるウェブログ運営会社を横断的に閲覧することが可能となる効果が得られる。情報を集約することで閲覧までの操作の手間が省力化されるため、利用者の情報収集量および目的の情報を採取するまでの時間が短縮され、利用者にとっての利便性が向上する。これによりウェブログ提供側の集客効率の増大が可能となる効果が得られる。また、このシステムを利用する事で、最小限のコストで情報提供の機会を増やすことができ、商用目的でウェブログを提供している資金力の乏しい個人や小規模な企業に、ビジネスを拡大する機会を与えることができる。
【発明を実施するための最良の形態】
【００１１】
本発明の実施形態を図１に基づいて説明する。この実施例に記載するウェブログ名称やウェブログ運営会社名、ポータルサイトなどは、本発明の範囲に限定する趣旨ではなく、本実施形態説明のための例に過ぎない。
【００１２】
図１は、インターネットおよびイントラネット上の複数ウェブログ運営会社からポータルサイトへの集約の例である。１は、既存のウェブログコンテンツおよびウェブログコンテンツの更新情報の一覧である。
【００１３】
従来の方法でウェブログの更新情報の一覧を表示する場合は、ウェブログ運営会社毎に用意されているポータルサイト２から閲覧する。ウェブログ運営会社のポータルサイトには、各ウェブログ運営会社で用意されたウェブログコンテンツのみ登録されているため、Ａブログ運営会社から異なるＢブログ運営会社上に用意されているウェブログコンテンツおよびウェブログコンテンツの更新情報を閲覧することはできない。
【００１４】
複数のウェブログ運営会社を横断的に閲覧することが可能となるポータルサイト５を用意する。ポータルサイト５は、予め特定のカテゴリに分類されている。
【００１５】
４は、異なるウェブログ運営会社でそれぞれ用意されていたウェブログコンテンツを特定のカテゴリに分類して同一のポータルサイト５に登録されたものである。
【００１６】
３は、ポータルサイト５内に登録されたウェブログコンテンツ４の更新情報およびＵＲＬを複数のウェブログ運営会社２に登録された既存のウェブログ１よりそれぞれ収集し、一覧の表示形式に情報を編集するプログラムである。収集対象となるウェブログコンテンツの更新情報は、ＲＳＳ（Ｒｉｃｈ  Ｓｉｔｅ  Ｓｕｍｍａｒｙ，ＲＤＦ  Ｓｉｔｅ  Ｓｕｍｍａｒｙ）で記述された文書である。編集結果として出力された一覧の表示形式の内容は、ＨＴＭＬ文書として配信する。
【００１７】
ポータルサイト５は、特定のカテゴリが新たに追加される毎に追加される。
【００１８】
本発明の方法によれば、特定のカテゴリに分類された複数のポータルサイトを更に集約                
することが可能である。
【産業上の利用可能性】
【００１９】
本発明は、複数の異なるウェブログ運営会社を横断的に閲覧することが可能となるため利用者の情報収集量および目的の情報を採取するまでの時間が短縮され利用者にとっての利便性が向上することによりウェブログ提供側の集客効率の増大が見込まれる。これを利用することにより例えば、簡易に集客効率の高い商用ポータルサイトの構築を可能とする、既存ウェブログの価値向上を図る機会の提供を可能とする、などの産業上の利用可能性を拡大することができる。また、このシステムを利用することで、最小限のコストで情報提供の機会を増やすことができ、商用目的でウェブログを提供している資金力の乏しい個人や小規模な企業に、ビジネスを拡大する機会を与えることができる。
【図面の簡単な説明】
【００２０】
【図１】本実施形態を示すインターネットおよびイントラネット上の複数ウェブログ運営会社からポータルサイトへの集約の例である。
【符号の説明】
【００２１】
１、    既存のウェブログコンテンツおよびウェブログコンテンツの更新情報の一覧
２、    ウェブログ運営会社毎に用意されているポータルサイト
３、    ポータルサイトに登録されたウェブログコンテンツの更新情報およびＵＲＬを収集し、一覧の表示形式に情報を編集するプログラム
４、    異なるウェブログ運営会社でそれぞれ用意されていたウェブログコンテンツを特定のカテゴリに分類して同一のポータルサイトに登録されたもの
５、    複数のウェブログ運営会社を横断的に閲覧することが可能となるポータルサイト
【図１】
2008077223.tif 000003